(57)【要約】【課題】一般の手芸愛好家に、より手軽に創作性を有する絵柄を描出出来る織物の材料と織法を具現化し、創作性を有する絵柄を描出出来る良質の織物を実現させる。【解決の手段】シェニール糸をヨコ糸として織り込んだ時、シェニール糸に予め構成された色彩により所定の柄を描出するための一定間隔の目印を有する絵柄構成部と、柄部に使用する色と同じ色を含む２色以上の色彩を有するアクセント色部から構成される１本の連続したシェニール糸を用い、絵柄構成部をヨコ糸として織り込み、切り離したアクセント色部のシェニール糸を、タテ糸とヨコ糸の構成方向と異なる方向に織込むことにより、創作性を有する立体的な絵柄を描出出来る良質の織物を実現させる。【選択図】図１
2012102438.tif 000002
【特許請求の範囲】
【請求項１】
タテ糸に９０デニールから７００デニールの繊度の糸を配し、タテ糸に対し約９０度に配置されるヨコ糸に、糸の長さ方向において複数の色彩のパイル糸を有するシェニール糸（１０）を配し、絵柄を描出するシェニール織物に、色彩を有すパイル糸を有したシェニール糸（１１）が、タテ糸とヨコ糸の構成方向と異なる織込み方向を有し、このシェニール糸（１１）の一方の糸端が、ヨコ糸を構成するシェニール糸（１０ａ）を織組織するタテ糸により織り込まれ、シェニール糸（１１）のもう一方の糸端が、２段以上異なる段のヨコ糸を構成するシェニール糸（１０ｂ）を織組織するタテ糸により織り込まれることを特長とするシェニール織物。
【請求項２】
シェニール糸をヨコ糸として織り込んだ時、シェニール糸に予め配色された色彩の絵柄を容易に描出するための折り返し目印として、色差あるいは維素材差または糸断面径差を用い目印として認識でき、この目印が製織時の織幅より長い間隔で尚且つ等間隔で構成される折り返し目印（２０）を有する絵柄構成部と、製織時の織幅より長い間隔で尚且つ等間隔で構成される折り返し目印（２０）を有さず、絵柄部に使用する色と同じ色を含む２色以上の色彩を有するアクセント柄構成部から成る前請求項１を織るための１本の連続したシェニール糸。
【発明の詳細な説明】
【技術分野】
【０００１】
本発明は、ヨコ糸に、糸の長さ方向において複数の色彩のパイル糸を有するシェニール糸を配し、絵柄を描出するシェニール織物とそれを構成する材料に関するものである。
【背景技術】
【０００２】
絵柄を描出する先染め織法として、シェニール織、綴れ織がある。
【０００３】
従来、ヨコ糸に、糸の長さ方向において複数の色彩のパイル糸を有するシェニール糸を配し、絵柄を描出するシェニール織物は、予め設定された絵柄になるように、絵柄を合わせながら織ることが難しく、一般の手芸愛好家がより簡単に精度よく絵柄を合わせ織り上げるための方法が求められる中、手織機における再織の製織法（特許文献１）で公開されているような製織法が公開され、手芸愛好家が簡単に精度よく絵柄を再現し織り上げるための技術が確立され、より手軽に織物の織る楽しみを味わうことができるようになって来ている。
【０００４】
しかしなから、その半面、シェニール織物は、予め設定された絵柄を再現して織る技法上、創作性という自由度がなく、手芸織物の醍醐味である創作性を満足させ得ることが出来ないと言う欠点を抱えていた。
【０００５】
また、創作性を重視した絵柄織として、綴れ織が存在しているが、この製法は、熟練を要し、一般の手芸愛好家では、なかなか製織者の満足いく出来栄えの作品ができない状況であり、この困難さを解消するための方法として手芸模様織物と材料と製織法（特許文献２）が公開されているが、綴れ織は織物全体を綴れ織の技法で構成せねばならず、綴れ織は、一般の手芸愛好家にとって、まだまだ難度の高い織物であるのが現状である。
【先行技術文献】
【特許文献】
【０００６】
【特許文献１】特開２００７−１３８３４４号公報
【特許文献２】特開２００５−０１５９５５号公報
【発明の開示】
【発明が解決しようとする課題】
【０００７】
一般の手芸愛好家に、より手軽に創作性を有する絵柄を描出できる織物の材料と織法を具現化し、創作性を有する絵柄を描出できる良質の織物を実現させることを課題とする。
【課題を解決するための手段】
【０００８】
本発明に係る織物は、タテ糸に９０デニールから７００デニールの繊度の糸を配し、タテ糸に対し約９０度に配置されるヨコ糸に、糸の長さ方向において複数の色彩のパイル糸を有するシェニール糸１０を配し、絵柄を描出するシェニール織物に、色彩を有すパイル糸を有したシェニール糸１１が、タテ糸とヨコ糸の構成方向と異なる織込み方向を有し、このシェニール糸１１の一方の糸端が、ヨコ糸を構成するシェニール糸１０ａを織組織するタテ糸により織り込まれ、シェニール糸１１のもう一方の糸端が、２段以上異なる段のヨコ糸を構成するシェニール糸１０ｂを織組織するタテ糸により織り込まれることを特徴とする。
【０００９】
本発明によれば、糸の長さ方向において複数の色彩のパイル糸を有するシェニール糸１０を配し、絵柄を描出した既製の絵柄に加え、色彩を有すパイル糸を有したシェニール糸１１を、タテ糸とヨコ糸の構成方向と異なる織込み方向に自由に織り込むことにより、シェニール糸１０を配し、描出される予め設定された絵柄に、さらなる絵柄を製織者の感性により、自由な位置に追加しながら織ることが可能となるため、シェニール織物が持ち得なかった創作性を実現させることが可能となる。
【００１０】
また、タテ糸とヨコ糸の構成方向と異なる織込み方向に織り込まれる糸を、色彩を有しパイル糸を有するシェニール糸にすることにより、タテ糸がシェニール糸のパイル部に埋没した状態となり、タテ糸の視覚的影響を受けず、シェニール織物の風合いを損なうことなしに、シェニール織物の質感を維持することができる。
【００１１】
また、本発明に係るシェニール糸は、シェニール糸をヨコ糸として織り込んだ時、シェニール糸に予め配色された色彩により所定の柄を描出するための折り返し目印として、色差あるいは維素材差または糸断面径差を用い目印として認識でき、この目印が製織時の織幅より長い間隔で尚且つ等間隔で構成される折り返し目印２０を有する絵柄構成部と、製織時の織幅より長い間隔で尚且つ等間隔で構成される折り返し目印２０を有さず、柄部に使用する色と同じ色を含む２色以上の色彩を有するアクセント柄構成部から構成される１本の連続したシェニール糸であることを特徴とする。
【００１２】
本発明によれば、本シェニール糸は、ヨコ糸に予め配色された色彩により所定の柄を描出するための折り返し目印として、色差あるいは維素材差または糸断面径差を用い目印として認識でき、この目印が製織時の織幅より長い間隔で尚且つ等間隔で構成される折り返し目印２０を有する絵柄構成部と、製織時の織幅より長い間隔で尚且つ等間隔で構成される折り返し目印２０を有さず、柄部に使用する色と同じ色を含む６色以上の色彩を有するアクセント柄構成部から構成される１本の連続した糸であるため、アクセント柄構成部の色を、絵柄構成部と同一ロットの色で構成することができ、製織時、アクセント柄構成部を柄構成部から切り離し、アクセント柄構成部の各色を、タテ糸とヨコ糸の構成方向と異なる織込み方向を有し、糸の一方の糸端が、ヨコ糸を構成するシェニール糸１０ａを織組織するタテ糸に織り込み、もう一方の糸端を、２段以上異なる段のヨコ糸を構成するシェニール糸１０ｂを織組織するタテ糸により織り込むシェニール糸１１に、使用することにより、絵柄構成部と追加で織込まれるアクセント柄構成部の色合いが同一ロット色で構成可能な良質シェニール織物を得ることが可能となる。
【発明の効果】
【００１３】
本発明によると、織物の絵柄の主体を構成するのは、予め設定された絵柄を描出するよう配色されたヨコ糸として織り込まれるシェニール糸１０により描出される絵柄であり、本発明の創作性は、このシェニール糸１０を織り込むことにより創作するのでなく、タテ糸とヨコ糸の構成方向と異なる織込み方向を有し、糸の一方の糸端が、ヨコ糸を構成するシェニール糸１０ａを織組織するタテ糸に織り込み、もう一方の糸端を、２段以上異なる段のヨコ糸を構成するシェニール糸１０ｂを織組織するタテ糸により織り込むシェニール糸１１により、絵柄にアクセントを加えることによる創作性であるため、一般の手芸愛好家であっても、より簡単に創作性を加味した良質の絵柄を描出する織物を得ることができる。
【００１４】
また、本発明のシェニール糸１１を用いることにより、絵柄にアクセントを加える色糸を別手配することなく、しかも同一色ロットの色彩の材料として手に入れることが可能となるため、色彩的に調和のとれた高品質な創作性を加味した絵柄を描出する織物を実現させることができる。
【００１５】
加えて、本発明の織物は、織込み方向が、タテ糸とヨコ糸の構成方向と異なる第３の方向の構成糸を有するため、その風合いが、タテ糸とヨコ糸から成る２軸の織物に対し、立体的な構造となるため、今までのシェニール織物の色だけによる陰影表現から、立体的構造を活用した陰影、立体感を有する新たなシェニール織物を実現させることができる。
【図面の簡単な説明】
【００１６】
【図１】本発明に係る織物の斜視図である。
【図２】本発明に係る織物の斜視図である。
【図３】本発明に係るシェニール糸の斜視図である。
【図４】本発明に係る織物の平面図である。
【発明を実施するための形態】
【００１７】
以下、図面に示す実施の形態により、本発明を詳細に説明する。
【００１８】
図１は、タテ糸に２０番双糸の綿糸を配し、タテ糸に対し約９０度に配置されるヨコ糸に、製織時の織幅より長い間隔で尚且つ等間隔で構成される折り返し目印２０を有し、糸の長さ方向において複数の色彩のパイル糸を有する絵柄構成部を有するシェニール糸１０を配し、絵柄を描出するシェニール織物に、色彩を有すパイル糸を有したシェニール糸１１が、タテ糸とヨコ糸の構成方向と異なる織込み方向を有し、一方の糸端が、ヨコ糸を構成するシェニール糸１０ａを織組織するタテ糸１２ａ・１２ｂにより織り込まれ、もう一方の糸端が、６段異なる段のヨコ糸を構成するシェニール糸１０ｂを織組織するタテ糸１２ｃ・１２ｄにより織り込まれている色彩を有すパイル糸を有したシェニール糸１１で構成される本発明の織物構造を示したものである。
【００１９】
図１において、本来シェニール織に存在しない、タテ糸とヨコ糸の構成方向と異なる織込み方向を有するシェニール糸１１は、タテ糸に対し約９０度に配置されるシェニール糸１０の上に配置する時、その構成の方向の特性により、安定して織物の表面を構成し、立体的陰影にて、絵柄に高質感を与えている。
【００２０】
図２は、シェニール糸１１の両端が、図１と同様に６段異なる段のヨコ糸を構成するシェニール糸１０ａ・１０ｂを織組織するタテ糸１２ａ・１２ｂ・１２ｃ・１２ｄにより織り込まれており、シェニール糸１１がその途中でシェニール糸１０ａと３段異なる段のシェニール糸１０ｃを織組織するタテ糸１２ｅ・１２ｆで織込まれ、シェニール糸１０ｃの下に配置し、再び次の段よりシェニール糸１０の上面に配置されている本発明の織物構造を示したものである。
【００２１】
なお、本来シェニール糸はパイル糸を有しているため、タテ糸に２０番双糸の綿糸を配した場合、タテ糸１２はシェニール糸１１のパイル糸にかくれるが、織物構造をわかりやすくするため、図１・図２は、シェニール糸１１をパイル糸が隙間を持たずタテ糸が食い込まない擬似モデルとして描いたものである。
【００２２】
図３は、本発明のシェニール糸１３を示したものであり、本シェニール糸１３は、１本の連続したシェニール糸で構成され、シェニール糸をヨコ糸として織り込んだ時、シェニール糸に予め配色された色彩により所定の絵柄を描出するための折り返し目印として、色差を用い目印として認識でき、この目印が製織時の織幅より長い間隔で尚且つ等間隔で構成される折り返し目印２０を黒色で表現する絵柄構成部と、製織時の織幅より長い間隔で尚且つ等間隔で構成される折り返し目印２０を有さず、絵柄部に使用した赤色部１３Ｘと同じ色の赤色部１３ｂと濃い赤色部１３ａ・ウス赤色部１３ｃ・緑色部１３ｅ・濃い緑色部１３ｄ・ウス緑色部１３ｆの６色の色彩を有するアクセント柄構成部から成っている。
【００２３】
なお、本発明のシェニール糸１３のシェニール糸をヨコ糸として織り込んだ時、シェニール糸に予め配色された色彩により所定の柄を描出するための折り返し目印として、色差あるいは維素材差または糸断面径差を用い目印として認識でき、この目印が製織時の織幅より長い間隔で尚且つ等間隔で構成される折り返し目印２０を有する絵柄構成部は、本発明の織物のシェニール糸１１として使用され、絵柄部に使用する色と同じ色を含む２色以上の色彩を有する部分から構成されるアクセント柄構成部は、製織者の感性により適度な長さにカットし、シェニール糸１１として使用するものである。
【００２４】
図４は、図３で示したシェニール糸１３を使用し、製織している状態を図示したものであり、花を模った花柄表現エリア３０の部分にシェニール糸１３の濃い赤色部１３ａ、赤色部１３ｂ、葉っぱを模った葉っぱ柄表現エリア３１の部分にシェニール糸１３の濃い緑色部１３ｅ、ウス緑色部１３ｆを織込み製織している状態を表示したものであり、この手法により、シェニール織物が持ちえていなかった創作性を付加することが可能となる。
【００２５】
なお、図４において、シェニール糸１３の赤色部１３ｂは、花を模った花柄表現エリア３０を構成する絵柄構成部の赤色部１３ｘと同じ色彩の色である。
【００２６】
また、図４において、タテ糸１２は、シェニール糸１１のパイル部に食い込み、シェニール１１の上で見えない状態を示しているが、本発明の織物は、タテ糸１２がシェニール１１の上でパイル糸の倒れ等により見える状態であってもよい。
【００２７】
さらに、本発明の織物のタテ糸とヨコ糸の構成方向と異なる織込み方向を有するシェニール糸１１は、ヨコ糸で絵柄される絵表現をなぞった状態に配置してもよく、シェニール糸１１の配置の一部配置位置をヨコ糸で絵柄される絵表現に組み込む方法を取ることにより、シェニール糸１１の配置をヨコ糸で絵柄される絵表現をなぞる方法を一部取り入れることにより、容易にシェニール糸１１の配置を行うことができるようになるため、手芸愛好家の技能レベルに応じヨコ糸で絵柄される絵表現を変え、より広くの手芸愛好家に本織物を楽しんで頂けることが可能になる。
【符号の説明】
【００２８】
１０  シェニール糸（ヨコ糸）
１１  シェニール糸
１２  タテ糸
１３  シェニール糸
１３ａ  アクセント柄構成部の色部
１３ｘ  絵柄構成部の色部
２０  折り返し目印
３０  シェニール織物の花柄表現エリア
３１  シェニール織物の葉っぱ柄表現エリア
【図１】
2012102438.tif 000003
【図２】
2012102438.tif 000004
【図３】
2012102438.tif 000005
【図４】
2012102438.tif 000006